(57)【特許請求の範囲】
【請求項１】
長尺状の素材が挿通される隙間が形成され固定された位置決め治具を有し、該位置決め治具からの素材供給先に設けられ前記素材が挿通する隙間が形成された曲げ治具を移動して曲げ加工を行う曲げ加工装置において、
球殻状に形成されたドーム部に前記曲げ治具が配置された揺動部材を備え、前記位置決め治具側の前記素材上に中心を有し前記素材の供給先に向かって凸の球面を形成した球状凸部材と、前記球状凸部材の前記球面と同じ中心を有する凹状の球面を形成した球状凹部材との前記両球面の間に前記揺動部材の前記ドーム部を摺動可能に挟持し、かつ、前記球状凸部材に前記位置決め治具を配置し、前記素材の曲げ形状に応じて前記揺動部材を揺動させ前記曲げ治具を前記球面に沿って移動して曲げ加工することを特徴とする曲げ加工装置。
【請求項２】
前記揺動部材を３組の直線駆動機構により揺動させて、前記曲げ治具を前記球面に沿って移動させることを特徴とする請求項１記載の曲げ加工装置。
【請求項３】
前記直線駆動機構はシリンダであることを特徴とする請求項２記載の曲げ加工装置。
【請求項４】
前記揺動部材の一部を切り欠いたことを特徴とする請求項１ないし請求項３のいずれかに記載の曲げ加工装置。
【発明の詳細な説明】
【０００１】
【発明の属する技術分野】
本発明は、位置決め治具に対して、曲げ治具を移動して、供給される素材を曲げ加工する曲げ加工装置に関する。
【０００２】
【従来の技術】
従来より、特開平１−１５４８２４号公報にあるように、長尺状の素材を軸方向に供給し、素材が挿通される隙間が形成された位置決め治具を固定して、位置決め治具からの素材供給先に曲げ治具を設けたものが知られている。この曲げ加工装置では、曲げ治具を、素材と直交する垂直方向と水平方向とにそれぞれ直線的に移動可能に支持し、曲げ治具を垂直方向と水平方向とに移動することにより、素材と直交する平面上を移動させて所定の曲げ形状に曲げ加工するようにしていた。
【０００３】
【発明が解決しようとする課題】
しかしながら、こうした従来のものでは、曲げ治具を垂直方向に摺動可能に支持する一対のガイドレールを備えた垂直移動機構と、垂直移動機構を水平方向に摺動可能に支持する一対のガイドレールを備えた水平移動機構とを設けなければならず、装置が複雑で、大型化するという問題があった。
【０００４】
本発明の課題は、簡単な機構で曲げ治具を移動して曲げ加工することができる曲げ加工装置を提供することにある。
【０００５】
【課題を解決するための手段】
かかる課題を達成すべく、本発明は課題を解決するため次の手段を取った。即ち、
長尺状の素材が挿通される隙間が形成され固定された位置決め治具を有し、該位置決め治具からの素材供給先に設けられ前記素材が挿通する隙間が形成された曲げ治具を移動して曲げ加工を行う曲げ加工装置において、
球殻状に形成されたドーム部に前記曲げ治具が配置された揺動部材を備え、前記位置決め治具側の前記素材上に中心を有し前記素材の供給先に向かって凸の球面を形成した球状凸部材と、前記球状凸部材の前記球面と同じ中心を有する凹状の球面を形成した球状凹部材との前記両球面の間に前記揺動部材の前記ドーム部を摺動可能に挟持し、かつ、前記球状凸部材に前記位置決め治具を配置し、前記素材の曲げ形状に応じて前記揺動部材を揺動させ前記曲げ治具を前記球面に沿って移動して曲げ加工することを特徴とする曲げ加工装置がそれである。
【０００６】
更に、前記揺動部材を３組の直線駆動機構により揺動させて、前記曲げ治具を前記球面に沿って移動させる構成としてもよい。前記直線駆動機構はシリンダであってもよい。また、前記揺動部材の一部を切り欠いてもよい。
【０００７】
【発明の実施の形態】
以下本発明の実施の形態を図面に基づいて詳細に説明する。
図１、図２に示すように、１は長尺状の素材で、例えば、眼鏡フレーム等に用いられるチタン合金製の素材１である。素材１は図示しないホビンに巻かれており、ホビンから繰り出された素材１の曲がり等を矯正してから、供給機構２の回転駆動される一対のローラ４，６に挟持され、ローラ４，６を回転させて素材１をその長手方向に供給する。
【０００８】
素材１の供給先には、素材１をガイドしながら挿通できる隙間８が形成された位置決め治具１０が配置されている。位置決め治具１０は、機枠１２に球状凸部材１４を介して固定されている。球状凸部材１４には、素材１の供給先に向かって凸の球面１６が形成されており、球面１６の中心ａは、位置決め治具１０内を挿通する素材１と同軸上に配置されている。
【０００９】
球状凸部材１４は、図２、図５に示すように、そのほぼ４分の１が切り欠かれて、切欠１８が形成されている。この切欠１８に位置決め治具１０が配置され、素材１が球面１６の中心ａを通るように固定されている。球状凸部材１４に対向して球状凹部材２０が機枠１２に固定されており、球状凹部材２０には、球面１６に対向する凹状の球面２２が形成されており、球面２２の中心は球面１６の中心ａと同じである。球状凹部材２０も、球状凸部材１４と同様に、ほぼ４分の１が切り欠かれている。
【００１０】
球状凸部材１４の球面１６と球状凹部材２０の球面２２との間には、揺動部材２４のドーム部２６が挟持されている。ドーム部２６は、両球面１６，２２の中心ａと同じ中心を有する球殻状に形成されており、ドーム部２６は、両球面１６，２２に摺動可能に挟持されている。
【００１１】
ドーム部２６には、位置決め治具１０からの素材１の供給先に、曲げ治具２８が設けられている。曲げ治具２８には、素材１が挿通する隙間３０が形成されている。揺動部材２４は、図２、図３に示すように、ほぼ４分の１が切り欠かれて切欠３２が形成されており、この切欠３２に曲げ治具２８が固定されている。
【００１２】
また、素材１の長手方向を中心とする円上に、等間隔に３台の直線駆動機構３４，３６，３８が素材１と平行に配置されている。直線駆動機構３４，３６，３８は伸縮する構成のもので、例えば、シリンダ等が用いられる。シリンダ以外に、モータによりねじを駆動して軸方向に伸縮する構成のものでもよい。
【００１３】
各直線駆動機構３４，３６，３８は、その一端が揺動部材２４にボール継手４０，４２，４４を介して連結されている。各直線駆動機構３４，３６，３８の他端は、自在継手４６，４８，５０を介して機枠１２に連結されている。各直線駆動機構３４，３６，３８の伸縮駆動方向は、素材１の供給方向とほぼ平行となるように配置されている。
【００１４】
次に、前述した本実施形態の曲げ加工装置の作動に付いて説明する。
供給機構２の一対のローラ４，６が駆動されて、素材１がその長手方向に供給される。これにより、素材１は位置決め治具１０の隙間８を挿通して、曲げ治具２８の隙間３０に挿通される。
【００１５】
素材１を所定の曲げ形状に曲げ加工する場合には、各直線駆動機構３４，３６，３８を駆動して、揺動部材２４を揺動させる。揺動部材２４の揺動により、曲げ治具２８が中心ａを中心として揺動し、曲げ治具２８が球面１６，２２に沿って移動する。よって、位置決め治具１０に対して曲げ治具２８が移動して、素材１の挿通方向を変えるので、曲げ治具２８の移動に応じて素材１が曲げ加工される。
【００１６】
３台の直線駆動機構３４，３６，３８の伸縮をそれぞれ個別に制御することにより、揺動部材２４を中心ａの廻りに揺動させ、曲げ治具２８を球面１６，２２に沿って移動させることができる。これにより、位置決め治具１０に対して、曲げ治具２８が移動して、素材１の挿通方向が変えられ、素材１が曲げ加工される。
【００１７】
曲げ治具２８は、位置決め治具１０に対して、球面１６，２２に沿って上下左右に移動されるので、素材１を曲げ形状に応じて上下左右に曲げ加工することができる。また、切欠１８，３２を形成したので、曲げられた素材１が揺動部材２４や球状凸部材１４等と干渉するのを防止できる。
【００１８】
以上本発明はこの様な実施形態に何等限定されるものではなく、本発明の要旨を逸脱しない範囲において種々なる態様で実施し得る。
【００１９】
【発明の効果】
以上詳述したように本発明の曲げ加工装置は、曲げ治具を球面に沿って移動する簡単な構成で、素材を上下左右に曲げ加工することができるという効果を奏する。
【図面の簡単な説明】
【図１】本発明の一実施形態としての曲げ加工装置の正面図である。
【図２】図１のＡＡ断面図である。
【図３】図１のＢＢ断面図である。
【図４】図１のＣＣ断面図である。
【図５】図１のＤＤ断面図である。
【符号の説明】
１…素材            ２…供給機構
８…隙間            １０…位置決め治具
１２…機枠          １４…球状凸部材
１６，２２…球面    １８，３２…切欠
２０…球状凹部材    ２４…揺動部材
２６…ドーム部      ２８…曲げ治具
３０…隙間
３４，３６，３８…直線駆動機構
【図１】
0004777553.tif 000002
【図２】
0004777553.tif 000003
【図３】
0004777553.tif 000004
【図４】
0004777553.tif 000005
【図５】
0004777553.tif 000006